(57)【要約】【課題】運転中に室内空気が吸込グリルを経ずに室内熱交換器の吸い込み空間に進入することが抑制される天吊型空気調和装置を提供する。【解決手段】室内熱交換器１５、送風機１３を収納した筐体１２Ａの底面に吸込グリル３７を備えた天吊型空気調和装置において、前記筐体１２Ａの底面に、前記吸込グリル３７の枠が係合する溝部７１Ｈ，１０２Ａを設けた。【選択図】図３
2014173760.tif 000002
【特許請求の範囲】
【請求項１】
室内熱交換器、送風機を収納した筐体の底面に吸込グリルを備えた天吊型空気調和装置において、前記筐体の底面に、前記吸込グリルの枠が係合する溝部を設けたことを特徴とする天吊型空気調和装置。
【請求項２】
前記溝部が、前記筐体の側面の下縁部に設けられていることを特徴とする請求項１に記載の天吊型空気調和装置。
【請求項３】
前記筐体の側面に、内部機器のメンテナンスを行うための開口と、この開口を閉塞する閉塞板とを備え、この閉塞板の下縁部に前記溝部を設けたことを特徴とする請求項１又は２に記載の天吊型空気調和装置。
【請求項４】
前記閉塞板は、前記開口よりも大きく形成され、該開口とオーバーラップする閉塞板本体と、前記閉塞板本体から前記開口内に延びて該開口の縁部に係合する係合部とを備えたことを特徴とする請求項３に記載の天吊型空気調和装置。
【請求項５】
前記係合部は、前記開口の縁部に沿って形成されるシール溝を備えることを特徴とする請求項４に記載の天吊型空気調和装置。
【請求項６】
前記溝部は、断面コ字状に形成されていることを特徴とする請求項１乃至５の何れか一項に記載の天吊型空気調和装置。
【発明の詳細な説明】
【技術分野】
【０００１】
本発明は、室内天井に吊り下げられて設置される天吊型空気調和装置に関する。
【背景技術】
【０００２】
従来、室内熱交換器、送風機を収納した筐体の底面に吸込グリルを備えると共に、前記筐体の両側面に取り外し自在なサイドカバーを備え、室内天井から吊りボルトで吊り下げられて設置される天吊型空気調和装置が知られている（例えば、特許文献１参照）。この種のものでは、天井設置後の空気調和装置をメンテナンスするときに、筐体の両側面に設けたサイドカバーを取り外し、例えば、両側面に形成された開口からそれぞれ手を入れて室内熱交換器及び送風機を含む内部機器の不具合等を修理することが行われている。
【先行技術文献】
【特許文献】
【０００３】
【特許文献１】特開２００５−１６４２１６号公報
【発明の概要】
【発明が解決しようとする課題】
【０００４】
ところで、従来の構成では、吸込グリルに反等が発生すると、筐体の底面と吸込グリルの重合部分に隙間が生じ、吸込グリルを経ずに、その隙間から室内空気を吸い込む恐れがある。天吊型空気調和装置の運転中に、室内空気が吸込グリルを経ずに室内熱交換器の吸い込み空間に進入すると、フィルタで除去しない室内の塵埃が室内熱交換器に至り、長時間に亘る運転使用時に室内熱交換器が目詰まりする等の問題がある。
そこで、本発明の目的は、上述した従来の技術が有する課題を解消し、運転中に室内空気が吸込グリルを経ずに室内熱交換器の吸い込み空間に進入することが抑制される天吊型空気調和装置を提供することにある。
【課題を解決するための手段】
【０００５】
上記課題を解決するため、本発明は、室内熱交換器、送風機を収納した筐体の底面に吸込グリルを備えた天吊型空気調和装置において、前記筐体の底面に、前記吸込グリルの枠が係合する溝部を設けたことを特徴とする。
この発明では、前記筐体の底面に、前記吸込グリルの枠が係合する溝部を設けたため、例えば、吸込グリルの枠が反った状態となったとしても、吸込グリルの枠の隙間がほとんどシールされ、従って、運転中に室内空気が吸込グリルを経ずに室内熱交換器の吸い込み空間に進入することが抑制される。また、吸込グリルの枠と溝部の嵌合であるため、一応のラビリンス効果が得られ、運転中に室内空気が吸込グリルを経ずに室内熱交換器の吸い込み空間に進入することが抑制される。
【０００６】
この場合において、前記溝部が、前記筐体の側面の下縁部に設けられていてもよい。
また、前記筐体の側面に、内部機器のメンテナンスを行うための開口と、この開口を閉塞する閉塞板とを備え、この閉塞板の下縁部に前記溝部を設けてもよい。
前記閉塞板は、前記開口よりも大きく形成され、該開口とオーバーラップする閉塞板本体と、前記閉塞板本体から前記開口内に延びて該開口の縁部に係合する係合部とを備えていてもよい。
本発明では、開口を閉塞する閉塞板を備え、この閉塞板は、前記開口よりも大きく形成され、該開口とオーバーラップする閉塞板本体と、前記閉塞板本体から前記開口内に延びて該開口の縁部に係合する係合部と、を備えるため、前記開口がほとんどシールされ、従って、運転中に室内空気が吸込グリルを経ずに室内熱交換器の吸い込み空間に進入することが抑制される。
【０００７】
前記係合部は、前記開口の縁部に沿って形成されるシール溝を備えてもよい。
前記溝部は、断面コ字状に形成されていてもよい。
この構成では、前記開口の縁部がシール溝に嵌り合うため、開口の縁部と係合部との間にほとんど隙間がなく、従って、運転中に室内空気が吸込グリルを経ずに室内熱交換器の吸い込み空間に進入することが抑制される。
これらの構成では、吸込グリルの枠が反っても、吸込グリルの枠の隙間がほとんどシールされるため、運転中に室内空気が吸込グリルを経ずに室内熱交換器の吸い込み空間に進入することが抑制される。
【発明の効果】
【０００８】
本発明では、前記筐体の底面に、前記吸込グリルの枠が係合する溝部を設けたため、例えば、吸込グリルの枠が反った状態となったとしても、吸込グリルの枠の隙間がほとんどシールされ、従って、運転中に室内空気が吸込グリルを経ずに室内熱交換器の吸い込み空間に進入することが抑制される。また、吸込グリルの枠と溝部の嵌合であるため、一応のラビリンス効果が得られ、運転中に室内空気が吸込グリルを経ずに室内熱交換器の吸い込み空間に進入することが抑制される。
【図面の簡単な説明】
【０００９】
【図１】本実施形態の天吊型空気調和装置の外観構成を示す斜視図である。
【図２】空気調和機本体の内部構造を示す断面図である。
【図３】空気調和機本体の内部構造を示す平面図である。
【図４】空気調和機本体の側部の分解斜視図である。
【図５】同側部おける開口を示す分解斜視図である。
【図６】図４のＶＩ−ＶＩの方向に見た斜視図である。
【発明を実施するための形態】
【００１０】
以下、図面を参照して本発明の実施の形態について説明する。
図１は、本実施形態にかかる天吊型空気調和装置１の外観構成を示す斜視図である。また、図２は、空気調和機本体１ａの内部構造を示す断面図であり、図３は、同じく内部構造を示す平面図である。
この明細書で上、下の用語は、空気調和装置１を天井から吊り下げた状態における上、下を意味するものとする。
図１に示すように、天吊型空気調和装置（空気調和装置）１は、空気調和機本体１ａのケーシング（筐体）１２Ａの両側にサイドカバー４５が配置され、空気調和機本体１ａのケーシング１２Ａの下部（底部）に、底パネル１４と吸込グリル３７とが配置されて構成されている。また、ケーシング１２Ａには、空気調和機本体１ａをコントロールするための図示しないリモートコントローラからの指示信号を受信する図示しない受信ユニットがその裏面に配置された受信窓５０が設けられている。
【００１１】
図２に示すように、空気調和機本体１ａは、天井から吊り下げられた吊りボルト３に引っかけられて室内天井板５の下面に設置・固定されている。この空気調和機本体１ａには、吹出口４１が設けられた前面から順に、室内熱交換器１５、送風機１３が配置され、さらに、この他にも、電装箱１１、冷媒配管２９等の各種機器類が収納されている。
【００１２】
送風機１３は、図３に示すように四台の送風機ユニット２１〜２４からなり、これらは一台のモータ２５で駆動される回転軸２７上に固定・配置されている。
【００１３】
本構成の送風機１３は、図３に示すように、四台の送風機ユニット２１〜２４を備えており、これらは一台のモータ２５で駆動される回転軸２７上に固定、配置されている。室内熱交換器１５は、図２に示すようにフィン・チューブ型の熱交換器であり、空気調和機本体１ａ内に斜めに設置される。この室内熱交換器１５には冷媒配管２９が接続され、この冷媒配管２９は空気調和機本体１ａのケーシング１２Ａの外に導出され、室外機（図示せず）の圧縮機、減圧装置、室外熱交換器等に接続される。
【００１４】
室内熱交換器１５の下方には、図２に示すように、発泡スチロール製のドレンパン３１が設置され、このドレンパン３１の下面には板金製パネル３３が設置される。ドレンパン３１は、室内熱交換器１５から流下したドレン水を受ける水受部３１ａと、この水受部３１ａよりも低所に設けられ、ドレン水を貯留するドレン溜まり（貯留部）３１ｂとを備える。このドレン溜まり３１ｂの排水口３４には、図３に示すようにフレキシブルチューブ３２を介してドレンポンプユニット３５が接続され、このドレンポンプユニット３５に収容されるドレンポンプは、ドレン溜まり３１ｂに収集（貯留）されたドレン水を汲み上げて空気調和機本体１ａのケーシング１２Ａの外に排出する。
【００１５】
送風機１３の下方には、図２に示すように、樹脂製の吸込グリル３７が設置され、この吸込グリル３７には空気清浄用のフィルタ３９が取り付けられる。そして、送風機１３が駆動されると吸込グリル３７およびフィルタ３９を通じて室内の空気が空気調和機本体１ａ内に吸い込まれ、この空気は室内熱交換器１５で熱交換された後に、ルーバー５１により風向が調整されて、吹出口４１を通じて室内に吹き出される。中仕切板４３は、空気調和機本体１ａの略中央を横断的に仕切る仕切板であり、送風機１３は、この中仕切板４３にて仕切られた室に配置されている。
【００１６】
図４は、天吊型空気調和装置１の側部における分解斜視図、図５は、同側部おける開口を示す分解斜視図である。
図４の斜視図は、手前のサイドカバー４５を取り外した状態を示している。この空気調和機本体１ａは、例えばメンテナンス時にサイドカバー４５を取り外した状態で、ケーシング１２Ａの側面が外部に露出している。
この露出した側面部１２Ｂには、図５に示すように、開口１２Ｃ等、各種隙間が設けられ、開口１２Ｃには送風機１３が臨んでおり、従って開口１２Ｃの内側は室内熱交換器１５の吸い込み空間に連通する。
【００１７】
この天吊型空気調和装置１は、図２に示すように、室内天井から吊りボルト３で吊り下げられ、室内天井板５に略接して設置される。吊りボルト３はケーシング１２Ａの４隅を支持しており、図４を参照し、ケーシング１２Ａの両端に固定して設けた吊り金具６１の両端の係止溝６１Ａに引っかけて、ナット止め（不図示）することにより、ケーシング１２Ａが支持されている。
【００１８】
本実施の形態では、図５に示すように、ケーシング１２Ａの側面部１２Ｂに設けた略Ｕ字形状の開口１２Ｃに対し、この開口１２Ｃを閉塞する閉塞板７１が配置されている。この閉塞板７１は樹脂製であり、表裏面には剛性を高める格子状のリブ７１Ａを有し、一部に配管を導出するための開口７１Ｂを備えている。
この閉塞板７１は、開口１２Ｃの幅Ｗよりも大きく形成され、開口１２Ｃとオーバーラップする閉塞板本体７１Ｃと、閉塞板本体７１Ｃから開口１２Ｃ内に突出して開口１２Ｃの縁部に係合する係合部７１Ｄとを備えている。係合部７１Ｄは開口１２Ｃの縁部に沿う形状であり、略Ｕ字形状を呈している。
【００１９】
この閉塞板７１は、その前端側に段部７１Ｅを備え、この段部７１Ｅは、図４に示すように、内側に窪む凹み部７１Ｊを備えている。また、図５に示すように、開口１２Ｃの縁部には、この段部７１Ｅに沿うように、受け部１２Ｅが形成されている。
係合部７１Ｄの外周面には、図６に示すように、開口１２Ｃの縁部に沿って形成されるシール溝７１Ｆが形成されている。このシール溝７１Ｆは、係合部７１Ｄの全周面に形成され、開口１２Ｃの縁部が係合されている。この閉塞板７１は、図５を参照して、係合部７１Ｄのシール溝７１Ｆを、開口１２Ｃの縁部に整合させ、下から上へスライドさせるようにして、開口１２Ｃに取り付けられる。この際には、段部７１Ｅが受け部１２Ｅに当接し、ねじ７５（図４参照。）を用いて、段部７１Ｅが受け部１２Ｅに固定されている。また、図５に示すように、閉塞板本体７１Ｃが、ねじ７６,７７を用いて、ケーシング１２Ａの側面部１２Ｂに固定されている。
また、図６に示すように、閉塞板７１の下縁部７１Ｇは、吸込開口１２Ｃの縁部の一部を構成し、この下縁部７１Ｇには、吸込グリル３７の枠３７Ａが嵌る断面コ字状の溝部７１Ｈが形成されている。
【００２０】
本実施の形態では、開口１２Ｃを閉塞する閉塞板７１を備え、この閉塞板７１は、開口１２Ｃよりも大きく形成され、開口１２Ｃとオーバーラップする閉塞板本体７１Ｃと、閉塞板本体７１Ｃから開口１２Ｃ内に延びて該開口１２Ｃの縁部に係合する係合部７１Ｄと、を備えるため、開口１２Ｃの縁部がほとんどシールされ、従って、運転中に室内空気が吸込グリル３７を経ずに室内熱交換器１５の吸い込み空間に進入することが抑制される。よって、運転中に、室内の塵埃が室内熱交換器１５に至ることが少なくなり、室内熱交換器１５の目詰まりが抑制される。
【００２１】
この構成では、開口１２Ｃの縁部が、係合部７１Ｄの外周面のシール溝７１Ｆに嵌り合うため、開口１２Ｃの縁部と係合部７１Ｄとの間にほとんど隙間がなく、従って、運転中に室内空気が吸込グリル３７を経ずに室内熱交換器１５の吸い込み空間に進入することが抑制される。よって、運転中に、室内の塵埃が室内熱交換器１５に至ることが少なくなり、室内熱交換器１５の目詰まりが抑制される。
【００２２】
この構成では、閉塞板７１の下縁部７１Ｇは、吸込開口１２Ｃの縁部の一部を構成し、この下縁部７１Ｇには、吸込グリル３７の枠３７Ａが嵌る断面コ字状の溝部７１Ｈが形成されているため、吸込グリル３７の枠３７Ａが、閉塞板下縁部７１Ｇの断面コ字状の溝部７１Ｈに嵌り合うことで、吸込グリル３７の枠３７Ａと閉塞板下縁部７１Ｇとの間にほとんど隙間がなくなり、室内空気が室内熱交換器１５の吸い込み空間に進入することが抑制される。よって、運転中に、室内の塵埃が室内熱交換器１５に至ることが少なくなり、室内熱交換器１５の目詰まりが抑制される。
【００２３】
本実施の形態では、上記吸込グリル３７は、図３に概略示すように、同一幅Ｗ１の左右に区分けした２枚の吸込グリル３７Ｒ，３７Ｌで構成されている。
２枚の吸込グリル３７Ｒ，３７Ｌは同一形状である。
２枚の吸込グリル３７Ｒ，３７Ｌは、ケーシング１２Ａの両端に位置する各閉塞板７１の下縁部７１Ｇと、図３の後面側の支持片１００と、図３の前面側の支持片１０１と、開口中央部に位置する連結片１０２とに支持されて、取り付けられている。
中央部の連結片１０２は、断面コ字状で下が解放された溝部１０２Ａを有し、この溝部１０２Ａには、右の吸込グリル３７Ｒの枠３７Ａの左端部と、左の吸込グリル３７Ｌの枠３７Ａの右端部とが係合している。右の吸込グリル３７Ｒの枠３７Ａの右端部は、閉塞板７１の右の下縁部７１Ｇの溝部７１Ｈに係合し、左の吸込グリル３７Ｌの枠３７Ａの左端部は、左の下縁部７１Ｇの溝部７１Ｈに係合している。
【００２４】
別実施の形態として、後面側、及び、前面側の支持片１００,１０１に対しても、断面コ字状で下が解放された溝部１００Ａ，１０１Ａを形成し、この溝部１００Ａ，１０１Ａに左右の吸込グリル３７Ｒ，３７Ｌの枠を係合する形態としてもよい。この構成では、２枚の吸込グリル３７Ｒ，３７Ｌの枠の略全周囲が、各溝部に係合するため、各係合部の間にほとんど隙間がなくなり、室内空気が室内熱交換器１５の吸い込み空間に進入することが抑制される。よって、運転中に、室内の塵埃が室内熱交換器１５に至ることが少なくなり、室内熱交換器１５の目詰まりが抑制される。
【００２５】
本実施の形態では、右の吸込グリル３７Ｒの枠の右端部が閉塞板７１の右の下縁部７１Ｇの溝部７１Ｈに係合し、左の吸込グリル３７Ｌの枠の左端部が左の下縁部７１Ｇの溝部７１Ｈに係合し、かつ中央部の連結片１０２の溝部１０２Ａには、右の吸込グリル３７Ｒの枠の左端部と、左の吸込グリル３７Ｌの枠の右端部とが係合するため、吸込グリル３７の枠３７Ａと下縁部７１Ｇ、及び中央部の連結片１０２との間にほとんど隙間がなくなり、室内空気が室内熱交換器１５の吸い込み空間に進入することが抑制される。よって、運転中に、室内の塵埃が室内熱交換器１５に至ることが少なくなり、室内熱交換器１５の目詰まりが抑制される。
【００２６】
例えば、室内天井板５が経年変化等により波打った場合、サイドカバー４５の上面と、室内天井板５の下面との間に隙間が生じ、その隙間から室内空気をケーシング１２Ａの側面部１２Ｂに吸い込み、この側面部１２Ｂから、上述のように室内熱交換器１５の吸い込み空間に室内空気が進入する恐れがある。
本実施の形態では、上述したように、各部における隙間がほとんどなくなるため、運転中に、室内の塵埃が室内熱交換器１５に至ることが少なくなり、室内熱交換器１５の目詰まりが抑制される。
【００２７】
以上、一実施の形態に基づいて、本発明を説明したが、本発明は、これに限定されるものではない。例えば、溝部７１Ｈ，１０２Ａを設ける部位は、吸込グリル３７に対応した位置で、ケーシング１２Ａの底面でよく、閉塞板７１の下縁部７１Ｇや、中央部の連結片１０２の下面に限定されない。
【符号の説明】
【００２８】
１  空気調和装置
１ａ  空気調和機本体
１２Ａ  ケーシング（筐体）
１２Ｃ  開口
１３  送風機
１５  室内熱交換器
３７  吸込グリル
４５  サイドカバー
７１  閉塞板
７１Ｃ  閉塞板本体
７１Ｄ  係合部
７１Ｅ  段部
７１Ｆ  シール溝
７１Ｇ  下縁部
７１Ｈ，１００Ａ，１０１Ａ，１０２Ａ  溝部
【図１】
2014173760.tif 000003
【図２】
2014173760.tif 000004
【図３】
2014173760.tif 000005
【図４】
2014173760.tif 000006
【図５】
2014173760.tif 000007
【図６】
2014173760.tif 000008